(57)【要約】【課題】基礎体温及び基礎体温に影響を与える情報を手軽に記録できる基礎体温測定装置を提供する。【解決手段】温度センサ８は、体温測定タイミングになったときに、体温を測定する。人感センサ１１は、検知開始タイミングから体温測定タイミングまでの検知期間において、人の動きを検知する。ＣＰＵ２は、温度センサ８によって測定された体温と、人感センサ１１によって検知された人の動きを示す検知情報とを対応付けてデータベース１５に記憶する。【選択図】図１
2012220287.tif 000002
【特許請求の範囲】
【請求項１】
体温を測定するタイミングを示す体温測定タイミングを記憶する体温測定タイミング記憶部と、
人の動きを検知することを開始するタイミングを示す検知開始タイミングを記憶する検知開始タイミング記憶部と、
前記体温測定タイミングになったときに、体温を測定する体温測定部と、
前記検知開始タイミングから前記体温測定タイミングまでの期間を示す検知期間において、人の動きを検知する検知部と、
前記測定した体温と前記検知した人の動きを示す検知情報とを対応付けて記憶するデータ記憶部と、
を備えることを特徴とする基礎体温測定装置。
【請求項２】
起床するタイミングを示す起床タイミングを記憶する起床タイミング記憶部と、
前記起床タイミングに基づいて、前記体温測定タイミングを決定し、前記体温測定タイミング記憶部に記憶する体温測定タイミング決定部と、
前記起床タイミングに基づいて、前記検知開始タイミングを決定し、前記検知開始タイミング記憶部に記憶する検知開始タイミング決定部と、
をさらに備えることを特徴とする請求項１に記載の基礎体温測定装置。
【請求項３】
前記体温測定部が体温を測定するために要する標準的な期間を示す標準測定期間を記憶する標準測定期間記憶部、
をさらに備え、
前記体温測定タイミング決定部は、
前記起床タイミングの前記標準測定期間前のタイミングを、前記体温測定タイミングに決定し、前記体温測定タイミング記憶部に記憶する、
ことを特徴とする請求項１又は２に記載の基礎体温測定装置。
【請求項４】
前記体温測定タイミングになったときに、その旨を通知する体温測定タイミング通知部、
をさらに備えることを特徴とする請求項１乃至３のいずれか１項に記載の基礎体温測定装置。
【請求項５】
前記基礎体温測定装置が移動した距離を示す移動距離を測定する移動距離測定部と、
前記体温測定タイミング以後において、前記測定した移動距離が所定の閾値以上であるときに、警告を通知する第１の警告通知部と、
をさらに備えることを特徴とする請求項４に記載の基礎体温測定装置。
【請求項６】
体温を測定するときの前記基礎体温測定装置の向きを示す体温測定時装置方向を記憶する体温測定時装置方向記憶部と、
前記基礎体温測定装置の向きを検知する向き検知部と、
前記体温測定タイミング以後において、前記検知した前記基礎体温測定装置の向きが、前記体温測定時装置方向と異なるときに、警告を通知する第２の警告通知部と、
をさらに備えることを特徴とする請求項４又は５に記載の基礎体温測定装置。
【請求項７】
体温の範囲を示す体温範囲を記憶する体温範囲記憶部と、
前記体温測定タイミング以後において、前記測定した体温が前記体温範囲内に属さないときに、警告を通知する第３の警告通知部と、
をさらに備えることを特徴とする請求項４乃至６のいずれか１項に記載の基礎体温測定装置。
【請求項８】
人の動きがなかったことを示す前記検知情報に対応する体温に基づいて、体温が所定の閾値以上変化する時期を示す体温変化時期を予測する体温変化時期予測部と、
前記予測した体温変化時期を出力する出力部と、
をさらに備えることを特徴とする請求項１乃至７のいずれか１項に記載の基礎体温測定装置。
【請求項９】
前記体温測定部が体温の測定を終了したときに、その旨を通知する体温測定終了通知部、
をさらに備えることを特徴とする請求項１乃至８のいずれか１項に記載の基礎体温測定装置。
【請求項１０】
前記体温変化時期を他の機器に通知する体温変化時期通知部、
をさらに備えることを特徴とする請求項１乃至９のいずれか１項に記載の基礎体温測定装置。
【発明の詳細な説明】
【技術分野】
【０００１】
本発明は、人の基礎体温を測定して記録する基礎体温測定装置に関する。
【背景技術】
【０００２】
健康な女性の基礎体温を毎日継続的に測定すると、体温の低い期間（低温期）と体温の高い期間（高温期）の２つの期間があることが分かる。この２つの期間の周期は月経周期と密接に関係しており、月経周期とともに低温期と高温期が繰り返される。一般的な女性では、約１４日周期で高温期と低温期が交互に繰り返される。高温期が終わり低温期に入る時に月経が始まる。したがって、女性は基礎体温を毎日記録して低温期と高温期を知ることで自分の月経周期を知ることができる。
【０００３】
基礎体温を正確に測定しなければ、正確な月経周期を知ることができない。基礎体温の測定を正確に行うには、毎朝一定の時間に測定を行う必要がある。しかし、毎朝一定の時間に起きて体温を測定し、記録することは使用者にとって負担である。
【０００４】
このような事情に鑑み、特許文献１には、基礎体温を測定できる携帯端末が記載されている。使用者は携帯端末が有する温度センサによって体温を測定することができる。また、携帯端末のタイマによって毎日決められた時間に体温測定を開始することができる。
【先行技術文献】
【特許文献】
【０００５】
【特許文献１】特開２００４−１３８４３９号公報
【発明の概要】
【発明が解決しようとする課題】
【０００６】
ところで、基礎体温をより正確に測定するためには、毎日一定の時間に測定を行うことに加えて、一定時間以上の睡眠をとった後に測定を行う必要がある。しかし、睡眠の途中で起き、動いた後に再び寝る場合がある。このような場合、その後の起床時に測定する基礎体温に影響が出る可能性があるため、起きて動いたという記録を残すことが望ましい。しかし、起きて動いたことをその都度使用者自身が記録するのは手間がかかり、また、起きて動いたことを忘れている可能性もある。
【０００７】
本発明の目的は、基礎体温及び基礎体温に影響を与える情報を手軽に記録できる基礎体温測定装置を提供することである。
【課題を解決するための手段】
【０００８】
本発明に係る基礎体温測定装置は、
体温を測定するタイミングを示す体温測定タイミングを記憶する体温測定タイミング記憶部と、
人の動きを検知することを開始するタイミングを示す検知開始タイミングを記憶する検知開始タイミング記憶部と、
前記体温測定タイミングになったときに、体温を測定する体温測定部と、
前記検知開始タイミングから前記体温測定タイミングまでの期間を示す検知期間において、人の動きを検知する検知部と、
前記測定した体温と前記検知した人の動きを示す検知情報とを対応付けて記憶するデータ記憶部と、
を備えることを特徴とする。
【発明の効果】
【０００９】
本発明によれば、基礎体温及び基礎体温に影響を与える情報を手軽に記録できる。
【図面の簡単な説明】
【００１０】
【図１】本発明の実施形態１に係る携帯端末の構成例を示すブロック図である。
【図２】本発明の実施形態１に係る携帯端末の外観図である。
【図３】実施形態１のデータベースの構成図である。
【図４】（ａ）は基礎体温測定がオンであることを通知する表示例を示す図であり、（ｂ）は目覚まし時計に時刻を設定することを促す表示例を示す図であり、（ｃ）は測定を促す表示例を示す図であり、（ｄ）は測定開始ができないことを警告する表示例を示す図であり、（ｅ）は測定が終了したことを通知する表示例を示す図である。
【図５】実施形態１において、基礎体温を測定してデータベースに記録するまでのＣＰＵの処理を示すフローチャートである。
【図６】図５に示すフローチャートに続くフローチャートである。
【図７】実施形態１において、データベースに記録された基礎体温データをグラフ化した表示例を示す図である。
【図８】実施形態１において、データベースに記録された基礎体温データを高温期になる日を基点にしてグラフ化した表示例を示す図である。
【図９】実施形態１において、データベースに記録された基礎体温データを低温期になる日を基点にしてグラフ化した表示例を示す図である。
【図１０】（ａ）は実施形態１において、カレンダに直近の月経予定日を記載した場合の表示例を示す図であり、（ｂ）はカレンダに数ヶ月先の月経予定日を記載した場合の表示例を示す図である。
【図１１】（ａ）は実施形態１の人感センサの感知範囲を示す図であり、（ｂ）は実施形態２の人感センサの感知範囲を示す図である。
【発明を実施するための形態】
【００１１】
以下に、本発明の実施形態を説明するが、以下の実施形態は説明のためのものであり、本発明の範囲を制限するものではない。したがって、当業者であればこれらの各要素を均等なものに置換した実施形態を採用することが可能であり、これらの実施形態も本発明の範囲に含まれる。
【００１２】
本発明に係る基礎体温測定装置が実現されうる携帯端末として、例えば、携帯型の電話機やその他タッチパネルを備えた携帯端末が挙げられる。
【００１３】
（実施形態１）
以下、図１〜図３を参照して、本実施形態に係る携帯端末１の構成を説明する。本実施形態の携帯端末１は筐体ＣＡと筐体ＣＢとから構成される折りたたみ式の携帯端末である。
【００１４】
携帯端末１は、ＣＰＵ（Central Processing Unit）２、通信部３、音声部４、表示部５、タイマ機能部６、メモリ７、温度センサ８、加速度センサ９、磁気センサ１０、人感センサ１１、操作キー１２、予測部１３から構成されている。
【００１５】
ＣＰＵ２は、携帯端末１の上記構成要素と接続されており、これらの構成要素との間で制御信号やデータのやりとりをする。また、ＣＰＵ２は、メモリ７に記憶されたアプリケーションソフト１４を実行する。
【００１６】
通信部３は、他の携帯端末の通信部との間で所定のプロトコルに従ってデータの通信を行う。なお、通信部３は、所定のアクセスポイントを介してインターネット等の通信ネットワークに接続することができ、その場合には無線ＬＡＮ（Local Area Network）に準拠したプロトコルに従って通信を行う。
【００１７】
音声部４は、ＣＰＵ２の制御下、所定の効果音や音声等を出力する。音声部４は、ＤＡＣ（Digital to Analog Converter）、アンプ、スピーカ等からなり、図２に示すように、筐体ＣＡの表示部５の上部に設けられている。
【００１８】
表示部５は、ＣＰＵ２の制御下、所定の画像を表示する。表示部５は、ＬＣＤ（Liquid Crystal Display）等からなり、図２に示すように、筐体ＣＡの表面（携帯端末１を折り曲げた際に向かい合う面）に備えられている。
【００１９】
図１に示すタイマ機能部６は、時刻や日付を管理する。具体的には、タイマ機能部６は、表示部５にカレンダを表示させる機能や、目覚まし時計の時間（起床するタイミングを示す起床タイミング）を設定する機能を有する。また、タイマ機能部６は、ＣＰＵ２の要求に応答して、現在日時をＣＰＵ２に通知する機能、予め設定した時間（期間）をカウントし、ＣＰＵ２へ通知する機能などを有する。
【００２０】
メモリ７は、アプリケーションソフト１４やデータベース１５等のデータやプログラム等を記憶する。データベース１５は、タイマ機能部６から取得した日付（日時）を示す日付情報と温度センサ８によって測定された温度（基礎体温）と後述するメモ情報７１とを対応付けて基礎体温データとして、図３に示すように記憶する。アプリケーションソフト１４は、携帯端末１の機能を実現するためＣＰＵ２が実行するソフトウェアである。
【００２１】
温度センサ８は、温度を測定し、測定値をＣＰＵ２に通知する。本実施形態では、温度センサ８は、携帯端末１の筐体ＣＢの裏面に設けられている。温度センサ８の分解能は、０．１度以上であることが望ましい。
【００２２】
加速度センサ９は、携帯端末１が移動した場合に、移動時の加速度や３軸方向の動きを検出し、ＣＰＵ２に通知する。ＣＰＵ２は、加速度センサ９から通知された携帯端末１の移動方向と加速度の方向と、タイマ機能部６から取得した移動を検出していた時間とから、携帯端末１の移動距離を算出する。
【００２３】
磁気センサ１０は、携帯端末１の置かれている向きや角度などの状態を検出し、ＣＰＵ２に通知する。
【００２４】
人感センサ１１は、携帯端末１の筐体ＣＡの裏面に設けられ、赤外線により温度の高い物体（人体）が移動したことを検知し、ＣＰＵ２に通知する。これにより、ＣＰＵ２は、人が移動したか否かを判別する。
【００２５】
操作キー１２は、携帯端末１の筐体ＣＢの表面に配置されたキースイッチ等を備え、使用者の操作に応じた操作信号をＣＰＵ２に供給する。なお、予測部１３については、後述する。
【００２６】
ここで、携帯端末１によって基礎体温を測定する際の処理の一例を、図４（ａ）〜図４（ｅ）に示す携帯端末１の表示部５の表示例、及び図５、図６に示すフローチャートを参照して説明する。
【００２７】
まず、使用者は、所定の操作キー１２を操作することにより、前述したアプリケーションソフト１４を起動する旨を指示する。ＣＰＵ２は、使用者の操作指示に応答して、アプリケーションソフト１４を実行し、基礎体温測定をオンにする（ステップＳ５１）。具体的には、ＣＰＵ２は、図４（ａ）に示すように基礎体温測定がオンである旨（ＯＮ）を表示部５に表示する。続いて、ＣＰＵ２はタイマ機能部６に目覚し時計の時刻が設定されているか否かを問い合わせることにより、目覚し時計の時刻が設定されているか否かを判別する（ステップＳ５２）。
【００２８】
目覚し時計の時刻が設定されていないと判別した場合（ステップＳ５２；Ｎｏ）、ＣＰＵ２は、図４（ｂ）に示すように、目覚まし時計の時刻の設定を促す通知を表示部５に表示するとともに、音声部４に通知音を出力させる（ステップＳ５３）。これにより、使用者が目覚まし時計の時刻（起床タイミング）を設定する。
具体的には、使用者は、操作キー１２を操作して、起床タイミングを記憶する旨を指示する。ＣＰＵ２は、使用者の操作指示に応答して、入力された起床タイミングをメモリ７に記憶する。
その後、ＣＰＵ２は、ステップＳ５２に処理を戻し、再度目覚まし時計が設定されているか否かを判別する。
【００２９】
目覚まし時計の時刻を設定した後、使用者は自身の近くに携帯端末１の人感センサ１１が上に向くように携帯端末１を置く。ＣＰＵ２は、目覚し時計に設定された時刻の所定の時間（基礎体温を測定するために必要とされる睡眠の標準的な期間を示す標準睡眠期間）前から、人感センサ１１を作動させる（ステップＳ５４）。最低４時間以上の睡眠をとった後に基礎体温を測定することが望ましいので、本実施形態では所定の時間（標準睡眠期間）を４時間とする。なお、標準睡眠期間は、メモリ７に予め記憶されている。
具体的には、ＣＰＵ２は、メモリ７に記憶された起床タイミングから、メモリ７に記憶された標準睡眠期間を減じることにより、人の動きを検知することを開始するタイミングを示す検知開始タイミングを算出してメモリ７に記憶する。ＣＰＵ２は、タイマ機能部６から取得した現在の日時が、メモリ７に記憶された検知開始タイミングになっているか否かを判別する。そして、現在の日時が検知開始タイミングになっていると判別した場合、人感センサ１１を作動させる。
【００３０】
ＣＰＵ２は、人感センサ１１が使用者の動きを感知した場合、データベース１５にその日付と、動いた情報を含むメモ情報７１とを対応付けて記憶する（ステップＳ５５）。動いた情報（検知情報）には、使用者が動いた時刻、動いた回数が含まれる。
【００３１】
次に、ＣＰＵ２は、タイマ機能部６に問い合わせることにより、目覚し時計に設定された時刻の所定の時間前になっているか否かを判別する（ステップＳ５６）。ここで言う所定の時間（標準測定期間）は、温度センサ８が体温を測定するために要する標準的な期間であり、温度センサ８の性能によって変化する。本実施形態では一例として、所定の時間（標準測定期間）を５分とする。なお、標準測定期間は、メモリ７に予め記憶されている。
具体的には、ＣＰＵ２は、メモリ７に記憶された起床タイミングから、メモリ７に記憶された標準測定期間を減じることにより、体温を測定するタイミングを示す体温測定タイミングを算出してメモリ７に記憶する。そして、ＣＰＵ２は、タイマ機能部６から取得した現在の日時が、メモリ７に記憶された体温測定タイミングになっているか否かを判別する。
【００３２】
ＣＰＵ２は、目覚し時計に設定された時刻の５分前になっていないと判別した場合（ステップＳ５６；Ｎｏ）、ステップＳ５５に処理を戻し、使用者の動きの監視を続ける。ＣＰＵ２は、目覚し時計に設定された時刻の５分前になったと判別した場合（ステップＳ５６；Ｙｅｓ）、ステップＳ５７に処理を進める。
【００３３】
ＣＰＵ２は図４（ｃ）に示すように、測定を促す通知を表示部５に表示するとともに、音声部４に測定を促す通知音を出力させる。さらに、人感センサ１１を停止し、磁気センサ１０、加速度センサ９、及び温度センサ８を起動する（ステップＳ５７）。
【００３４】
使用者が基礎体温測定のために携帯端末１を手に取ったか否かを判別するため、ＣＰＵ２は、磁気センサ１０と加速度センサ９からの通知により、携帯端末１が移動したか否かを判別する（ステップＳ５８）。携帯端末１が移動していないと判別した場合（ステップＳ５８；Ｎｏ）、ステップＳ５８に処理を戻し、ＣＰＵ２はステップＳ５７で行った測定を促す通知を続ける。
【００３５】
携帯端末１が移動したと判別した場合（ステップＳ５８；Ｙｅｓ）、ＣＰＵ２は磁気センサ１０と加速度センサ９から通知された移動方向、加速度、タイマ機能部６から取得した移動を検出していた時間に基づいて、携帯端末１の移動距離を算出し、その移動距離が予め設定された距離（閾値Ｌ）以下であるか否かを判別する（ステップＳ５９）。本実施形態では一例として、この閾値Ｌを２メートルとする。なお、使用者は、操作キー１２を操作して、事前に閾値Ｌを記憶する旨を指示することができる。ＣＰＵ２は、使用者の操作指示に応答して、入力された閾値Ｌをメモリ７に記憶する。
【００３６】
携帯端末１の移動距離が２メートルを越えたと判別した場合（ステップＳ５９；Ｎｏ）、ＣＰＵ２は、図４（ｃ）に示すように、再度測定を促す通知を表示部５に表示するとともに、音声部４に測定開始を促す通知音を出力させる（ステップＳ６０）。これは、使用者が基礎体温の測定を忘れて移動した可能性があるためである。
【００３７】
携帯端末１の移動距離が２メートル以下であると判別した場合（ステップＳ５９；Ｙｅｓ）、ＣＰＵ２は測定を促す通知を停止する（ステップＳ６１）。続いてＣＰＵ２は、磁気センサ１０と加速度センサ９からの通知により携帯端末１が予め設定した角度（設定角度）にて静止しているか否かを判別する（ステップＳ６２）。ここで、設定角度（体温測定時装置方向）とは、基礎体温測定を行うときの携帯端末１の角度（向き）であり、使用者が予め携帯端末１に測定角度を設定したものである。本実施形態では、使用者は、例えば、携帯端末１を腹の上に置いて基礎体温を測定することとする。携帯端末１を腹の上において測定する場合、携帯端末１の温度センサ８が下の方向に向いていなければならないので、その状態の携帯端末１の角度を設定角度とする。なお、使用者は、操作キー１２を操作して、事前に設定角度（体温測定時装置方向）を記憶する旨を指示することができる。ＣＰＵ２は、使用者の操作指示に応答して、入力された設定角度（体温測定時装置方向）をメモリ７に記憶する。
【００３８】
携帯端末１が設定角度で静止していないと判別した場合（ステップＳ６２；Ｎｏ）、ＣＰＵ２は図４（ｄ）に示すように、測定を開始できないという警告を表示部５に表示するとともに、音声部４に警告音を出力させる（ステップＳ６３）。
【００３９】
携帯端末１が設定角度で静止していると判別した場合（ステップＳ６２；Ｙｅｓ）、ＣＰＵ２は温度センサ８から通知された温度が予め設定された所定の温度範囲内（本実施形態では、一例として、温度範囲を３０℃以上、かつ、４５℃以下とする。）であるか否かを判別する（ステップＳ６４）。なお、使用者は、操作キー１２を操作して、事前に所定の温度範囲を記憶する旨を指示することができる。ＣＰＵ２は、使用者の操作指示に応答して、入力された所定の温度範囲をメモリ７に記憶する。
【００４０】
温度センサ８から通知された温度が所定の温度範囲内でないと判別した場合（ステップＳ６４；Ｎｏ）、ＣＰＵ２は図４（ｄ）に示すように、測定を開始できない旨の警告を表示部５に表示するとともに、音声部４に警告音を出力させる（ステップＳ６５）。これは、測定された温度が体温とかけ離れている場合、携帯端末１が布団の上など腹の上以外の場所に置かれている可能性があるためである。
【００４１】
温度センサ８から通知された温度が所定の温度範囲内であると判別した場合（ステップＳ６４；Ｙｅｓ）、ＣＰＵ２は基礎体温の測定を開始する（ステップＳ６６）。測定時間中、ＣＰＵ２は磁気センサ１０と加速度センサ９からの通知により携帯端末１の移動及び姿勢の変化が無いか否かを判別する（ステップＳ６７）。
【００４２】
携帯端末１の移動又は姿勢の変化があったと判別した場合（ステップＳ６７；Ｎｏ）、ＣＰＵ２は、図４（ｃ）に示すように、測定を促す通知を表示部５に表示するとともに、音声部４に通知音を出力させる（ステップＳ６８）。これは、基礎体温の測定中に使用者が誤って動いた可能性があるためである。測定を促す通知をした後、ＣＰＵ２は、所定の時間後（本実施形態では一例として数秒後）に再度測定を開始する。携帯端末１の移動又は姿勢の変化がないと判別した場合（ステップＳ６７；Ｙｅｓ）、ＣＰＵ２は、測定が正しく行われていると判断し、測定を続ける。
【００４３】
測定が完了すると、ＣＰＵ２は、図４（ｅ）に示すように、測定終了通知を表示部５に表示するとともに、音声部４に測定終了の通知音を出力させる（ステップＳ６９）。このように使用者に通知することで、測定中に使用者が寝てしまった場合でも目覚し時計に設定した時刻に目覚めることができる。これは、測定が終了する時刻が目覚し時計に設定した時刻と同一であるためである。測定終了通知後、ＣＰＵ２は、タイマ機能部６から取得した日付と、測定結果である基礎体温、測定の際に行った通知、警告などを含むメモ情報７１とを対応付けてデータベース１５に記憶する（ステップＳ７０）。なお、測定の際に、通知や警告を行わなかった場合、メモ情報７１は空（ＮＵＬＬ）となる。
【００４４】
測定終了後、基礎体温データを閲覧したい場合、使用者は操作キー１２を操作して、その旨を指示する。図７に示すように、ＣＰＵ２は、使用者の操作指示に応答して、使用者によって指定された期間においてデータベース１５に記憶された基礎体温データをグラフ化して表示部５に表示する。また、ＣＰＵ２は、操作キー１２によってグラフ内の日付が指定されたことに応答して、メモ情報７１の内容を表示する。メモ情報７１には、ステップＳ５５において記憶した人感センサ１１で取得した就寝中に動いたという情報に加えて、ステップＳ７０で記憶した体温測定時の通知及び警告の内容、回数をメモ情報７１として含む。また、使用者は、操作キー１２を操作して、メモ情報７１に、体温測定時に携帯端末１が自動で取得した情報の他に、使用者が自身で情報を入力する旨を指示することができる。ＣＰＵ２は、使用者の操作指示に応答して、入力された情報を指定された日付に対応するメモ情報７１に追加して、データベース１５を更新する。使用者の気分などの精神状態や病気などが基礎体温に与える影響は大きいので、これらの情報も追加しておくことが望ましいからである。
【００４５】
携帯端末１は、このようにして蓄積された基礎体温データに基づいて、月経が始まる日を予測するという特徴的な動作を行う。
以下、携帯端末１の予測部１３が、月経が始まる日を予測する動作を、図８、図９を参照して説明する。以下、理解を容易にするため、ＣＰＵ２が、使用者からの要求に応答して、過去の基礎体温データに基づいて、図８に示すように、高温期になる日（高温期開始タイミング）を基点にしたグラフを表示部５に表示した後、月経が始まる日を予測する場合を例にして説明する。ＣＰＵ２は、図８の点８１が示す現在の日付の時点で低温期が始まる日を予測することによって、月経が始まる日を予測する。
具体的には、月経が始まる日を予測したい場合、使用者は、操作キー１２を操作して、その旨を指示する。予測部１３としてのＣＰＵ２は、使用者の操作指示に応答して、過去の基礎体温データの中から、高温期が始まってから低温期に移る（体温が所定の閾値Ｔ以上、下がるとき）までの日数が最短となる基礎体温データと最長となる基礎体温データを選択する。
【００４６】
ＣＰＵ２は、図８において点８１から伸びる破線で示すように、選択した基礎体温データを示すグラフを表示部５に表示する。図８に示す例では、使用者は、表示されたグラフを参照することにより、現在の日付から７〜１１日後に低温期が始まること、即ち、月経が開始することを予想することができる。
【００４７】
一方、排卵が始まる日を予測したい場合、使用者は、操作キー１２を操作して、その旨を指示する。予測部１３としてのＣＰＵ２は、使用者の操作指示に応答して、過去の基礎体温データの中から、低温期が始まってから高温期に移る（体温が所定の閾値Ｔ以上、上がるとき）までの日数が最短となる基礎体温データと最長となる基礎体温データを選択する。ＣＰＵ２は、図９に示すように、過去の基礎体温データを低温期になる日（低温期開始タイミング）を基点にして、選択した基礎体温データを示すグラフを表示する。図９に示す例では、使用者は、表示されたグラフを参照することにより、現在の日付から８〜１１日後に高温期が始まること、即ち、排卵が開始することを予想することができる。
【００４８】
また、予測部１３は、メモ情報７１がある日の基礎体温データについては、参考値として扱うことで、月経が始まる日又は排卵日の予測に影響を及ぼさないようにすることもできる。図７ではメモ情報７１のある日に約０．５度の体温上昇があるが、メモ情報７１のある日の前日と翌日は低温のままなので、メモ情報７１のある日での体温上昇はメモ情報７１に起因する一時的なものであると判断できる。そこで、予測部１３は、メモ情報７１のある日の基礎体温とその前後の日の基礎体温との差が所定の温度以上であった場合に、メモ情報７１のある日の基礎体温を高温期の基点として含めることなく、低温期が始まる日の予測範囲を求める。高温期が始まる日の予測範囲を求める際も同様である。
具体的には、ＣＰＵ２は、使用者の操作指示に応答して、月経が始まる日を予測するときに、データベース１５のメモ情報７１が空（ＮＵＬＬ）のレコードを参照し、この中から、高温期が始まってから低温期に移るまでの日数が最短となる基礎体温データと最長となる基礎体温データを選択し、選択した基礎体温データを表示部５に表示する。なお、メモ情報７１が空（ＮＵＬＬ）の場合、人の動きが人感センサ１１で検知されなかったことを意味する。
一方、ＣＰＵ２は、使用者の操作指示に応答して、排卵が始まる日を予測するときに、データベース１５のメモ情報７１が空（ＮＵＬＬ）のレコードを参照し、この中から、低温期が始まってから高温期に移るまでの日数が最短となる基礎体温データと最長となる基礎体温データを選択し、選択した基礎体温データを表示部５に表示する。
【００４９】
図１０（ａ）、（ｂ）は、携帯端末１のタイマ機能部６のカレンダと連動させ、表示部５に月経予定日を丸印にて表示した例である。図１０（ａ）の直近の月経予定日から、図１０（ｂ）の数ヶ月先の月経予定日を確認することが可能となり、旅行等の計画を考える際に、その時の体調を確認及び考慮することができる。
この場合、ＣＰＵ２は、過去の基礎体温データの中から、高温期が始まってから低温期に移るまでの日数が最短となる基礎体温データと最長となる基礎体温データを選択したときに、最短となる日数と最長となる日数とタイマ機能部６から取得した現在の日付とに基づいて、月経が始まる予定日を算出し、算出した予定日をタイマ機能部６に供給する。タイマ機能部６は、ＣＰＵ２から供給された月経が始まる予定日の表示態様を通常の表示態様と変えて（例えば、丸付きの数字で表す）、カレンダを表示する。
【００５０】
以上説明してきたように、本実施形態によれば、基礎体温に影響を与える情報を基礎体温とともに手軽に記録できるので、より正確な基礎体温データを容易に収集できる。また、携帯端末１のタイマを利用することにより測定を忘れることがない。さらに、測定が正常に終了するまで通知又は警告を行うので、基礎体温の測定に失敗することを回避できる。
【００５１】
（実施形態２）
実施形態２について、図１１を参照して説明する。実施形態１との違いは人感センサ１１の構成であり、その他の構成については実施形態１と同様である。実施形態１では、携帯端末１の人感センサ１１により人の動きを感知している。しかし、人感センサ１１が３６０度全ての方向を感知する構成となっていると、近くに使用者以外の人間１１１が寝ていた場合に、使用者１１２自身が動いたのか、使用者以外の人間１１１が動いたのかを区別できない場合がある。
【００５２】
そこで、本実施形態では、人感センサ１１の開口部を狭めることで人感センサ１１の感知範囲１１３を狭めて指向性を持たせ、使用者１１２が動いた場合のみ記録に残すようにする。この場合、使用者１１２が人感センサ１１の感知範囲１１４内に寝る必要がある。
【００５３】
本実施形態によれば、人感センサ１１が指向性を持っているので、使用者１１２の近くに複数の使用者以外の人間１１１が寝ている場合でも、使用者１１２が動いた場合に限定して基礎体温データを記録することができる。
【００５４】
（その他の実施形態）
本発明は実施形態１、２に限定されるものではなく、種々の変形及び応用が可能である。
【００５５】
例えば、動いた情報には、動いた回数、動いた時刻に加えて、動いた時間（期間）を含めることができる。動いた時間とは、使用者が動き始めてから動き終わるまでの時間である。これは、タイマ機能部６と人感センサ１１とを連動させて求めることができる。
具体的には、ＣＰＵ２は、人感センサ１１からの通知に基づいて、使用者が動き始めたタイミングと使用者の動きがなくなった（検知されなくなった）タイミングをタイマ機能部６に通知し、これらのタイミングをそれぞれ始期、終期とする期間（動き期間）をタイマ機能部６から取得する。そして、ＣＰＵ２は、タイマ機能部６から取得した現在の日付と、温度センサ８によって測定された基礎体温と、タイマ機能部６から取得した動き期間を含めたメモ情報７１と、を対応付けてデータベース１５に記憶する。
【００５６】
また、各実施形態では、磁気センサ１０及び加速度センサ９で携帯端末の移動や姿勢を検知していたが、これに替えて加速度センサ９や傾きセンサ等により、携帯端末１の移動や姿勢を検知してもよい。また、温度センサ８を携帯端末１と別体とし、脇の下に挟める形状や、口にくわえられる形状とすることもできる。
【００５７】
また、表示部５に文字を表示して通知及び警告をするのではなく、アイコン表示のような絵を表示させる他、表示部５以外に携帯端末１の表面に別途ＬＥＤ等を設けて点灯させることで測定状態であることを通知するようにしてもよい。
【００５８】
また、各実施形態では、ＣＰＵ２が音声部４に通知音や警告音を出力させていたが、これに替えて一般的な携帯端末の殆どが有しているバイブレーション機能を使用してもよい。
【００５９】
また、図５のフローチャートのステップＳ５１の基礎体温測定の設定について、各実施形態のように使用者自身が設定してもよいが、事前にタイマ機能部６に設定しておくことで、毎日同一時刻に基礎体温測定をＯＮとする構成にしてもよい。
【００６０】
また、ステップＳ６８の後について、各実施形態では、測定を促す通知をした数秒後に自動で再測定を開始していたが、使用者自身が携帯端末１を操作して再測定を開始する構成としてもよい。例えば、表示部５に測定を促す通知がされた場合、使用者がいずれかの操作キー１２を押下することで再測定が開始される構成とすることができる。また、使用者が、携帯端末１を振ることにより再測定を開始する構成としてもよい。例えば、表示部５に測定を促す通知がされた場合、使用者が携帯端末１を振ったことを加速度センサ９又は磁気センサ１０で感知して再測定が開始される構成とすることができる。また、携帯端末１を開いて閉じた後に再測定を開始する構成としてもよい。
【００６１】
また、携帯端末１の通信部３を介して、図１０（ａ）、（ｂ）で示す月経予定日、あるいは、排卵予定日が記載されたカレンダを特定の相手に送信する構成にしてもよい。これにより、女性同士又は夫婦間で情報の共有化ができる。特に、子供が欲しいと考えている夫婦にとっては便利な機能であると考えられる。
なお、本発明の携帯端末１は、専用の装置を用いる必要はなく、通常のコンピュータにより実現することができる。例えばコンピュータに上記した各処理を実行させるためのプログラム及びデータを記録媒体（ＣＤ−ＲＯＭ等）に記録して配布し、これをインストールしてＯＳ（Operating System）上で実行することにより、本発明の携帯端末１を実現できる。また、プログラム及びデータの配布は、ＣＤ−ＲＯＭ等に限らず、通信回線等を介して行われてもよい。
【００６２】
上記の実施形態の一部又は全部は、以下の付記のようにも記載されうるが、以下には限られない。
【００６３】
（付記１）
体温を測定するタイミングを示す体温測定タイミングを記憶する体温測定タイミング記憶部と、
人の動きを検知することを開始するタイミングを示す検知開始タイミングを記憶する検知開始タイミング記憶部と、
前記体温測定タイミングになったときに、体温を測定する体温測定部と、
前記検知開始タイミングから前記体温測定タイミングまでの期間を示す検知期間において、人の動きを検知する検知部と、
前記測定した体温と前記検知した人の動きを示す検知情報とを対応付けて記憶するデータ記憶部と、
を備えることを特徴とする基礎体温測定装置。
【００６４】
（付記２）
起床するタイミングを示す起床タイミングを記憶する起床タイミング記憶部と、
前記起床タイミングに基づいて、前記体温測定タイミングを決定し、前記体温測定タイミング記憶部に記憶する体温測定タイミング決定部と、
前記起床タイミングに基づいて、前記検知開始タイミングを決定し、前記検知開始タイミング記憶部に記憶する検知開始タイミング決定部と、
をさらに備えることを特徴とする付記１に記載の基礎体温測定装置。
【００６５】
（付記３）
前記体温測定部が体温を測定するために要する標準的な期間を示す標準測定期間を記憶する標準測定期間記憶部、
をさらに備え、
前記体温測定タイミング決定部は、
前記起床タイミングの前記標準測定期間前のタイミングを、前記体温測定タイミングに決定し、前記体温測定タイミング記憶部に記憶する、
ことを特徴とする付記１又は２に記載の基礎体温測定装置。
【００６６】
（付記４）
前記体温測定タイミングになったときに、その旨を通知する体温測定タイミング通知部、
をさらに備えることを特徴とする付記１乃至３のいずれかに記載の基礎体温測定装置。
【００６７】
（付記５）
前記基礎体温測定装置が移動した距離を示す移動距離を測定する移動距離測定部と、
前記体温測定タイミング以後において、前記測定した移動距離が所定の閾値以上であるときに、警告を通知する第１の警告通知部と、
をさらに備えることを特徴とする付記４に記載の基礎体温測定装置。
【００６８】
（付記６）
体温を測定するときの前記基礎体温測定装置の向きを示す体温測定時装置方向を記憶する体温測定時装置方向記憶部と、
前記基礎体温測定装置の向きを検知する向き検知部と、
前記体温測定タイミング以後において、前記検知した前記基礎体温測定装置の向きが、前記体温測定時装置方向と異なるときに、警告を通知する第２の警告通知部と、
をさらに備えることを特徴とする付記４又は５に記載の基礎体温測定装置。
【００６９】
（付記７）
体温の範囲を示す体温範囲を記憶する体温範囲記憶部と、
前記体温測定タイミング以後において、前記測定した体温が前記体温範囲内に属さないときに、警告を通知する第３の警告通知部と、
をさらに備えることを特徴とする付記４乃至６のいずれかに記載の基礎体温測定装置。
【００７０】
（付記８）
人の動きがなかったことを示す前記検知情報に対応する体温に基づいて、体温が所定の閾値以上変化する時期を示す体温変化時期を予測する体温変化時期予測部と、
前記予測した体温変化時期を出力する出力部と、
をさらに備えることを特徴とする付記１乃至７のいずれかに記載の基礎体温測定装置。
【００７１】
（付記９）
前記体温測定部が体温の測定を終了したときに、その旨を通知する体温測定終了通知部、
をさらに備えることを特徴とする付記１乃至８のいずれかに記載の基礎体温測定装置。
【００７２】
（付記１０）
前記体温変化時期を他の機器に通知する体温変化時期通知部、
をさらに備えることを特徴とする付記１乃至９のいずれかに記載の基礎体温測定装置。
【００７３】
（付記１１）
体温を測定するタイミングを示す体温測定タイミングになったときに、体温を測定する体温測定工程と、
人の動きを検知することを開始するタイミングを示す検知開始タイミングから前記体温測定タイミングまでの期間を示す検知期間において、人の動きを検知する検知工程と、
前記測定した体温と前記検知した人の動きを示す検知情報とを対応付けて記憶するデータ記憶工程と、
を備えることを特徴とする基礎体温測定方法。
【００７４】
（付記１２）
コンピュータに、
体温を測定するタイミングを示す体温測定タイミングになったときに、体温を体温測定部に測定させる体温測定手順と、
人の動きを検知することを開始するタイミングを示す検知開始タイミングから前記体温測定タイミングまでの期間を示す検知期間において、人の動きを検知部に検知させる検知手順と、
前記測定した体温と前記検知した人の動きを示す検知情報とを対応付けて記憶部に記憶するデータ記憶手順と、
を実行させることを特徴とするプログラム。
【符号の説明】
【００７５】
１  携帯端末
２  ＣＰＵ
３  通信部
４  音声部
５  表示部
６  タイマ機能部
７  メモリ
８  温度センサ
９  加速度センサ
１０  磁気センサ
１１  人感センサ
１２  操作キー
１３  予測部
１４  アプリケーションソフト
１５  データベース
７１  メモ情報
８１  現在の時点（高温期）
９１  現在の時点（低温期）
１０１  月経予定日
１１１  使用者以外の人間
１１２  使用者
１１３  感知範囲（実施形態１の人感センサ）
１１４  感知範囲（実施形態２の人感センサ）
【図１】
2012220287.tif 000003
【図２】
2012220287.tif 000004
【図３】
2012220287.tif 000005
【図４】
2012220287.tif 000006
【図５】
2012220287.tif 000007
【図６】
2012220287.tif 000008
【図７】
2012220287.tif 000009
【図８】
2012220287.tif 000010
【図９】
2012220287.tif 000011
【図１０】
2012220287.tif 000012
【図１１】
2012220287.tif 000013